(57)【要約】【課題】強風が作用した際には、風圧を逃がす通風用開口が形成され、強風後に閉鎖する防護シートを提供すること。【解決手段】防護シート２０は、仮設足場１の外面に沿って設けられる。防護シート２０は、風が通るスリット３０と、このスリット３０を開閉する複数のゴム紐４０を備える。これらゴム紐４０は、スリット３０の中央部の開口量を端部の開口量よりも大きくする。この発明によれば、強風が防護シート２０に作用すると、風を通すスリット３０が開いて、強風後にはゴム紐４０によりスリット３０が閉鎖される。【選択図】図６
2017002552.tif 000002
【特許請求の範囲】
【請求項１】
仮設構造物の外面に沿って設けられる防護シートであって、
前記防護シートは、風が通る通風開口部と、当該通風開口部を開閉する開放手段と、を備え、
前記開放手段は、前記通風開口部の中央部の開口量を端部の開口量よりも大きくすることを特徴とする防護シート。
【請求項２】
前記開放手段は、前記通風開口部に沿って配置された複数の弾性体を備え、
当該複数の弾性体は、当該通風開口部を構成する端縁同士を連結し、前記通風開口部を開く方向の所定の引張力に対する伸びが、前記通風開口部の中央部から端部に向かうに従って小さくなることを特徴とする請求項１に記載の防護シート。
【請求項３】
前記通風開口部の一方の端縁を含む部分は、当該通風開口部の他方の端縁を含む部分に重ねて設けられ、
前記開放手段は、前記重なった部分に設けられて、当該重なった部分同士を仮接合する面状の粘着体または接着体をさらに備えることを特徴とする請求項２に記載の防護シート。
【請求項４】
建枠に接続される複数の防護シートを備える防護シート構造であって、
前記防護シートの鉛直方向に延びる一方の端縁、ならびに、前記防護シートの下端縁および／または上端縁には、開放手段が設けられており、
当該開放手段は、前記建枠と前記防護シートとを連結する、紐状および／またはリング状の伸び量が異なる複数の弾性体を備えることを特徴とする防護シート構造。
【発明の詳細な説明】
【技術分野】
【０００１】
本発明は、例えば、仮設足場の外側に取り付けられる防護シートの構造に関する。
【背景技術】
【０００２】
従来より、施工中の建物の周囲には、仮設足場が設置される。この仮設足場では、施工時に発生する粉塵の飛散や工具の落下を防止するため、仮設足場の外面を覆うように、防護シート（養生シート）が設けられる。このような仮設足場では、強風や突風が吹き付けた場合、防護シートが大きな風圧を受けて、仮設足場が転倒するおそれがあった。
【０００３】
そこで、防護シートの本体に開閉可能な分割部を設けて、この分割部の周縁を面ファスナで本体に所定の付着力で仮固定することで、自動的に通風用に開口する提案がされている（特許文献１参照）。
【先行技術文献】
【特許文献】
【０００４】
【特許文献１】特開平９−２７７０５６号公報
【発明の概要】
【発明が解決しようとする課題】
【０００５】
しかしながら、特許文献１に開示された通風用開口は、開いたままであって、閉鎖作業が人手によることになる。開口は、強風に対する一時的措置であって、通風用開口をそのままにしておくことは、防護シートとしては不適切である。
【０００６】
本明細書に記載する強風とは、仮設足場の外面に設けられる市場品の防護シート等にて想定されている基準風速より求まる設計用風圧力を上回る風圧力であり、例えば、通風用に開口部が必要となる強風の下限値は２５Ｎ／ｍ２程度を想定している。この設定は、工事現場や足場の状況に応じて、変更することができる。
【０００７】
本発明は、強風が作用した際には、風圧を逃がす通風用開口が形成され、強風後に閉鎖する構造を備えた防護シート構造を提供する。
【課題を解決するための手段】
【０００８】
第一の発明の防護シートは、仮設構造物（例えば、後述の仮設足場１）の外面に沿って設けられる防護シート（例えば、後述の防護シート２０）であって、前記防護シートは、風が通る通風開口部（例えば、後述のスリット３０、６０）と、当該通風開口部を開閉する開放手段と、を備え、前記開放手段は、前記通風開口部の中央部の開口量を端部の開口量よりも大きくすることを特徴とする。
【０００９】
この発明によれば、強風が防護シートに作用すると、風を通す通風開口部が開いて、強風後には開放手段により通風開口部が閉鎖される。通風開口部（スリット）の中央部では、端部よりも開口量つまり開き幅を大きくしたので、通風開口部を通して風を有効に逃すことができる。また、通風開口部の端部側では、開口量を小さくしたので、通風開口部を通る風量を少なくすることができ、強風による通風開口部を発端としたシートの引き裂き破壊を防止できる。
【００１０】
第二の発明の防護シートにおいては、前記開放手段は、前記通風開口部に沿って配置された複数の弾性体（例えば、後述のゴム紐４０）を備え、前記複数の弾性体は、当該通風開口部を構成する端縁（例えば、後述の端縁３１Ａ、３１Ｂ）同士を連結し、前記通風開口部を開く方向の所定の引張力に対する伸びが、前記通風開口部の中央部から端部に向かうに従って小さくなることを特徴とする。
ここで、複数の弾性体は、異なる伸び量を有することが好ましい。
【００１１】
この発明によれば、複数の弾性体を通風開口部（スリット）に沿って配置し、これら弾性体について、スリットを開く方向の所定の引張力に対する伸びを、スリットの中央部から端部に向かうに従って小さくした。
また、伸びの異なる弾性体を用いて開口量の調整を行った。伸びの大小によって、開き度合いが変化するので、大きく開く部分と小さく開く部分とを適宜設定できる。また、張設する防護シートの場所に応じて、開き度合いを設定できる。
【００１２】
よって、第一の発明の効果に加えて、スリットの中央部側の方が端部側よりも開きやすくなるので、スリットの中央部が大きく開いて、風を逃がすことができる。また、スリットが一旦開いた場合でも、風速が低下した際には、弾性体の復元力により、スリットを再度閉じることができる。
また、紐をスリットに沿って配置したので、スリットが開いた場合でも、紐がストッパとなって外側に工具や資材が落下するのを防止できる。
【００１３】
第三の発明の防護シートにおいては、前記通風開口部の一方の端縁を含む部分は、当該通風開口部の他方の端縁を含む部分に重ねて設けられ、前記開放手段は、前記重なった部分に設けられて、当該重なった部分同士を仮接合する面状の粘着体または接着体（例えば、後述の面ファスナ４１）をさらに備えることを特徴とする。
【００１４】
この発明によれば、第一、第二の発明の効果に加えて、重なった部分同士を仮接合する面状の粘着体または接着体を設けたので、風圧力が作用する前の状態では、スリットを完全に閉じておくことができる。一方、所定値以上の風圧力が作用すると、仮接合していたスリットが開いて、風圧力を逃がすことができる。
また、スリットが一旦開いた場合でも、風速が低下した際には、粘着体または接着体が再度接合するので、スリットを塞ぐことができる。
【００１５】
ここで、前記スリットの前記仮設構造物の幅木の高さには、当該スリットを構成する端縁同士を連結する格子状の落下防止部材（例えば、後述の落下防止部材４２）が設けられることが好ましい。
【００１６】
このようにすれば、仮設構造物の幅木の高さに、スリットの端縁同士を連結する格子状の落下防止部材を設けた。これにより、スリットが開いた場合でも、仮設構造物の床面から資材や工具が落下するのを防止できる。
【００１７】
第四の発明は、建枠（例えば、後述の建枠１２）と接続される複数の防護シート（例えば、後述の防護シート２０Ｂ、２０Ｃ）を備える防護シート構造であって、前記防護シートの鉛直方向に延びる一方の端縁（例えば、後述の端縁７０Ｃ）、ならびに、前記防護シートの下端縁および／または上端縁（例えば、後述の端縁７０Ｂ、７０Ｄ）には、開放手段が設けられており、当該開放手段は、前記建枠と前記防護シートとを連結する、紐状および／またはリング状の伸び量が異なる複数の弾性体（例えば、後述のゴム紐８０Ａ、８０Ｂ）を備えることを特徴とする。
【００１８】
この発明によれば、建枠とシート縁部との間を、伸びが異なる複数の弾性体で連結することで、防護シートに強風が作用した際には、先ず初めに、高い伸びの弾性体であるゴム紐が伸びて、建枠とシート縁部との間に、風が通る通風開口部が形成される。また、強風によって形成された通風開口部では、低い伸びの弾性体であるゴム紐がストッパ材として機能し、通風開口部の幅が所定の距離以上大きくなるのを防止する。また、通風開口部が一旦開いた場合でも、風速が低下した際には、ゴム紐の復元力により、通風開口部を再度閉じることができる。
【発明の効果】
【００１９】
本発明によれば、防護シートに強風が作用した際には、防護シートの一部に通風開口部を形成させて風を逃がすとともに、風速が低下すると、その通風開口部を自動的に閉じる防護シート構造を提供する。
【図面の簡単な説明】
【００２０】
【図１】本発明の第１実施形態に係る仮設構造物の一部の斜視図である。
【図２】第１実施形態に係る防護シートの仮設構造物の外面側（表側）からの図である。
【図３】第１実施形態に係る防護シートを建物と仮設構造物との間の仮設構造物の内面側（裏側）からの図である。
【図４】第１実施形態に係る防護シートを建枠に取り付けた状態を示す斜視図である。
【図５】第１実施形態に係る防護シートに設けた長尺シートの斜視図である。
【図６】第１実施形態に係る防護シートの動作を示す斜視図である。
【図７】本発明の第２実施形態に係る防護シートの表側からの図である。
【図８】第２実施形態に係る防護シートの裏側からの図である。
【図９】第２実施形態に係る防護シートの動作を示す斜視図である。
【図１０】本発明の第３実施形態に係る防護シートの表側からの図である。
【図１１】第３実施形態の変形例に係る防護シートの表側からの図である。
【図１２】第３実施形態の変形例に係る防護シートの面ファスナの斜視図および平断面図である。
【発明を実施するための形態】
【００２１】
本発明者らは、突風または強風対策用の仮設足場用を覆う防護シートと、仮設足場の外面に、その防護シートを複数張設させた防護シート構造として、突発的に強風を受けた際であっても、自動的に、防護シートの一部を開口させてスリットまたはシートの端縁に風道となる通風開口部を形成することで、この防護シートが取り付けられた仮設足場の倒壊を防止できることに着目し、本願発明の防護シート構造の発明に至った。
具体的には、防護シートに設ける通風開口部としては、一方向に設けたスリット（第１実施形態）と、十字型状スリット（第２実施形態）と、建枠に対して、弾性体を介してシートを結着した構成（第３実施形態）である。
【００２２】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る仮設構造物としての仮設足場１の一部の斜視図である。
【００２３】
仮設足場１は、施工中の建物２の外周に沿って設けられた枠組足場である。
この仮設足場１は、地表面に２列敷設された木製の敷板１０と、これら敷板１０の上にジャッキベース１１を介して上下に２段でかつ水平方向に所定間隔置きに配置された建枠１２と、隣り合う建枠１２同士の間に架設された布板１３と、隣り合う建枠１２同士の間に架設されたブレース１４と、隣り合う建枠１２同士を連結する水平繋ぎ１６と、を備える。
【００２４】
建枠１２は、施工中の建物２と壁繋ぎ１５で連結されている。
ここで、仮設足場１の外面、つまり建物２とは反対側の側面には、防護シート２０が設けられる。この防護シート２０は、水平方向に１スパン分、上下方向に２段分の大きさとなっている。
【００２５】
例えば、防護シートとしては、高強力ポリエステル糸樹脂を圧着加工した市場品で、規格サイズとして、１.８ｍ×３.４ｍ、１.８ｍ×５.１ｍ、３.６ｍ×５.４ｍ等がある。また、建設現場で使用される防護シートは、仮設建造物の設置場所や防護シートを展張させる地上高さ位置によってシート面に作用する風圧力が異なるものの、一般に、所定の風圧力として、技術指標である基準風速が１６ｍ／Ｓ程度であれば、設計用風圧力として２５Ｎ／ｍ２程度までは仮設足場等に影響を及ぼさないように強度設計がなされている（（社)仮設工業会：『風荷重に対する足場の安全技術指針）。
従って、本発明に係る防護シートまたは防護シート構造においては、風圧力として２５Ｎ／ｍ２を上回る強風が作用した際に、風を通す通風開口部が自動的に形成され、その後、風速が低下した段階で、通風開口部が自動的に閉鎖される開閉機能を備えている。
【００２６】
図２は、防護シート２０を表側つまり外側から視た図であり、図３は、防護シート２０を裏側つまり内側から視た図である。
防護シート２０には、外周に沿って所定間隔おきに複数の穴２１が開けられている。図４に示すように、これら穴２１に結束用の紐２２を通して建枠１２に結束することで、防護シート２０は、建枠１２に固定されている。
【００２７】
この防護シート２０には、上下方向に延びる通風開口部としてのスリット３０が形成されており、このスリット３０は、端縁３１Ａ、３１Ｂ同士が互いに対向して構成されている。
この防護シート２０は、風圧を受けることによりスリット３０を開いて風を通す、弾性を有する複数の開放手段および弾性体としてのゴム紐４０、および、開放手段および接着体としての面ファスナ４１（図２中破線の斜線で示す）を備える。
【００２８】
複数のゴム紐４０は、スリット３０に沿って所定間隔置きに、かつ、スリット３０に交差する方向に直線状に配置されている。これらゴム紐４０は、両端で防護シート２０に固定されており、これにより、スリット３０を構成する端縁３１Ａ、３１Ｂ同士を連結している。
また、これら複数のゴム紐４０は、材質は同一であるが、その長さはスリット３０の中央部から端部に向かうに従って短くなっている。
【００２９】
したがって、複数のゴム紐４０について、スリット３０を開く方向（つまりスリット３０の長さ方向に交差する方向）の所定の引張力に対する伸びは、スリット３０の中央部から端部に向かうに従って小さくなっている（図６参照）。つまり、スリット３０の中央部の開口量は、端部の開口量よりも大きくなる。
【００３０】
また、図５にも示すように、防護シート２０の表側には、スリット３０に沿って長尺シート５０が設けられている。
この長尺シート５０の他端側は、スリット３０の端縁３１Ａに固定されている。一方、長尺シート５０の一端側つまりスリット３０の一方の端縁３１Ａを含む部分は、スリット３０の他方の端縁３１Ｂを含む部分に重ねて設けられている。
面ファスナ４１は、この長尺シート５０の一端側と防護シート２０との重なった部分に設けられて、この重なった部分同士を仮接合する。
【００３１】
また、スリット３０のうち布板１３の幅木の高さ、ここでは、スリット３０の中央部および下端部には、スリット３０の端縁３１Ａ、３１Ｂ同士を連結する網状の落下防止部材としての落下防止部材４２が取り付けられている。この落下防止部材４２は、スリット３０が開放可能となるように、弛ませた状態で取り付けられている。
【００３２】
以上の防護シート２０は、以下のように動作する。
例えば、仮設足場１の内側から外側に向かって強風が吹き付けるものとする。すると、防護シート２０が外側に向かって膨らむ。この強風による防護シート２０に対する風圧力が所定値以上になると、この風圧力によって、図６に示すように、面ファスナ４１の仮接合が解放されて、スリット３０が開いて、各ゴム紐４０に引張力が加わる。なお、図６では、理解の容易のため、長尺シート５０を破線で表示している。
【００３３】
このとき、スリット３０の中央部側のゴム紐４０は、スリット３０の端部側のゴム紐４０に比べて伸びが大きいので、スリット３０の中央部側がスリット３０の端部側に比べて大きく開く。また、スリット３０の中央部および下端部では、落下防止部材４２が張られた状態となる。
これにより、図６中白抜き矢印で示すように、スリット３０を通して風が内側から外側に抜ける。
【００３４】
その後、風による防護シート２０に対する風圧力が所定値未満になると、各ゴム紐４０の復元力により、スリット３０が自動的に閉じられる。そして、面ファスナ４１により、長尺シート５０の一端側と防護シート２０とが、再度仮接合される。
【００３５】
本実施形態によれば、以下のような効果がある。
（１）風圧力が防護シート２０に作用すると、ゴム紐４０の復元力に抵抗して、防護シート２０のスリット３０が開いて、このスリットを風が抜けることで、風圧力を逃がす。
ここで、複数のゴム紐４０をスリット３０に沿って配置し、さらに、ゴム紐４０を全て同一の材質として、ゴム紐４０の長さのみをスリットの中央部から端部に向かうに従って短くした。これにより、スリット３０の中央部側の方が端部側よりも開きやすくなるので、スリット３０の中央部が大きく開いて風を通すことができ、風圧をある程度受け止めつつ、風圧をある程度受け止めつつ、風を逃がすことができる。また、スリット３０が一旦開いた場合でも、風圧力が低下した際には、ゴム紐４０の復元力により、スリット３０を再度閉じることができる。
【００３６】
また、ゴム紐４０をスリット３０に沿って所定間隔置きに配置したので、スリット３０が開いた場合に、ゴム紐４０がストッパとなって、スリット３０から外側に工具や資材が落下するのを防止できる。
【００３７】
（２）防護シート２０と長尺シート５０との重なった部分同士を仮接合する面ファスナ４１を設けたので、風圧力が作用する前の状態では、スリット３０を完全に閉じておくことができる。また、スリットが一旦開いた場合でも、風圧力が低下した際には、面ファスナ４１が再度接合して、スリット３０を塞ぐことができる。
【００３８】
（３）落下防止部材４２が幅木の役割を果たし、スリット３０が開いた場合でも、仮設足場１の床面から資材や工具が落下するのを防止できる。
【００３９】
〔第２実施形態〕
図７は、本発明の第２実施形態に係る防護シート２０Ａを表側から視た図であり、図８は、防護シート２０Ａを裏側から視た図である。
本実施形態では、スリットの形状が、第１実施形態と異なる。
すなわち、防護シート２０Ａには、第１実施形態と同様に上下方向に延びるスリット３０に加えて、水平方向に延びる通風開口部としてのスリット６０が形成されている。
このスリット６０は、端縁６１Ａ、６１Ｂ同士が互いに対向して構成されている。
【００４０】
防護シート２０Ａは、スリット６０に沿って、弾性を有する複数の開放手段としてのゴム紐４０、長尺シート５０、および接着体としての面ファスナ４１を備える。
【００４１】
ここで、スリット３０とスリット６０とが交差する箇所では、長尺シート５０が分割されるとともに、この箇所に配置される開放手段としてのゴム紐４０Ａ、４０Ｂが互いに交差して配置される。つまり、ゴム紐４０Ａは、端縁３１Ａおよび端縁６１Ａが成す角部と、端縁３１Ｂおよび端縁６１Ｂが成す角部と、を連結する。ゴム紐４０Ｂは、端縁３１Ｂおよび端縁６１Ａが成す角部と、端縁３１Ａおよび端縁６１Ｂが成す角部と、を連結する。
【００４２】
以上の防護シート２０Ａは、防護シート２０と同様に、動作する。
すなわち、例えば、仮設足場１の内側から外側に向かって強風が吹き付けるものとする。すると、防護シート２０Ａが外側に向かって膨らむ。この強風による防護シート２０Ａに対する風圧力が所定値以上になると、この風圧力によって、図９に示すように、面ファスナ４１の仮接合が解放されて、スリット３０、６０が十字形状に開いて、各ゴム紐４０に引張力が加わる。なお、図９では、理解の容易のため、長尺シート５０を破線で表示している。
【００４３】
本実施形態によれば、上述の（１）〜（３）と同様の効果がある。
【００４４】
〔第３実施形態〕
本実施形態は、防護シートと建枠との連結強度を弱めて、シートの端縁を建枠より離れ易くし、隣接する防護シートとの間に隙間を形成させ、その隙間を通風開口部とし、風を逃がす防護シート構造である。
図１０は、本発明の第３実施形態に係る防護シート２０Ｂの仮設足場１の外面側（表側）からの図である。
【００４５】
図１０に示すように、防護シート２０Ｂの１つの端縁７０Ａが結束用の紐２２で建枠１２と強固に連結されており、残る３つの端縁７０Ｂ〜７０Ｃは、伸び量（つまり所定の引張力に対する伸び）の異なる２つの開放手段としてのゴム紐８０Ａ、８０Ｂによって建枠１２あるいは水平繋ぎ１６に連結される。
具体的には、３つの端縁７０Ｂ〜７０Ｃは、防護シート２０Ｂの鉛直方向に延びる端縁７０Ｃと、上端縁７０Ｂ、および下端縁７０Ｃである。
【００４６】
結束用の紐２２で連結された端縁７０Ａは、強風が作用しても建枠１２あるいは水平繋ぎ１６から離れることはないが、伸び量の異なる複数のゴム紐８０Ａ、８０Ｂで連結された端縁７０Ｂ〜７０Ｃでは、２つのゴム紐８０Ａ、８０Ｂが結束用の紐２２に比べて伸び量が大きい。よって、防護シート２０Ｂの表面に想定外の強風が加わった際には、端縁７０Ｂ〜７０Ｃが建枠１２や水平繋ぎ１６から離れて、風を逃がす機構となる。
【００４７】
防護シート２０Ｂの端縁７０Ｂ〜７０Ｃに沿って複数の穴２１が設けられており、各穴２１には、低い伸びの弾性体であるゴム紐８０Ａと、高い伸びの弾性体であるゴム紐８０Ｂと、が係止される。また、低い伸びのゴム紐８０Ａは、端縁７０Ｂ〜７０Ｃが建枠１２や水平繋ぎ１６からある一定の距離以上離れないように、ストッパ材として機能する。
【００４８】
従って、防護シート２０Ｂの表面に想定外の強風が加わった際には、先ず、高い伸び性能を有するゴム紐８０Ｂが伸びて、端縁７０Ｂ〜７０Ｃと建枠１２あるいは水平繋ぎ１６との間に風を通す通風開口部が形成される。このとき、低い伸び性能を有するゴム紐８０Ａにより、通風開口部の幅が一定に保持される。ゴム紐８０Ｂは、ゴム紐８０Ａとは太さや長さを異ならせるか、または引張剛性を低くすることで、ゴム紐８０Ａよりも相対的に高い伸び性能を備えている。
【００４９】
図１１に示すように、ゴム紐８０Ｂに替えて、面ファスナ９０を設けることで、防護シート２０Ｃとしてもよい。
面ファスナ９０は、防護シート２０Ｃ上に設けられてループ状に密集して起毛された基端部９１と、この基端部９１の先端に設けられてフック状に起毛された先端部９２と、を備える。
この面ファスナ９０の先端部９２は、建枠１２のパイプ材を包み込んで、基端部９１に係止されている。
【００５０】
面ファスナ９０は、防護シート２０Ｂの表面に通常の風圧力が作用する段階では剥離されないが、想定外の強風が作用した段階で、初めて剥離される。このとき、ゴム紐８０Ａがストッパ材として機能する。なお、面ファスナ９０とゴム紐８０Ａとは、一対で配置されることが好ましい。
【００５１】
本実施形態によれば、第１、第２実施形態による効果に加えて、以下のような効果がある。
（４）防護シート２０Ｂ、２０Ｃにスリットを設けることはなく、防護シート２０Ｂ、２０Ｃの端縁７０Ｂ〜７０Ｃに、開放手段として、異なる伸びを備えた２つのゴム紐８０Ａ、８０Ｂ、または、面ファスナ９０およびゴム紐８０Ａを設けた。よって、想定外の強風が作用した際には、防護シート２０Ｂ、２０Ｃの端縁７０Ｂ〜７０Ｃに、通風開口部を形成できる。また、通風開口部が一旦開いた場合でも、風速が低下した際には、ゴム紐８０Ａ、８０Ｂの復元力により、通風開口部を再度閉じることができる。
【００５２】
なお、本発明は前記実施形態に限定されるものではなく、本発明の目的を達成できる範囲での変形、改良等は本発明に含まれるものである。
例えば、上述の実施形態では、複数のゴム紐４０について、材質を同一し、その長さを異ならせることで、各ゴム紐４０の引張力に対する伸びが異なるようにしたが、これに限らず、例えば、ゴム紐の太さや材質を異ならせることで、各ゴム紐の引張力に対する伸びが異なるようにしてもよい。
【符号の説明】
【００５３】
１…仮設足場（仮設構造物）  ２…建物
１０…敷板  １１…ジャッキベース  １２…建枠  １３…布板  １４…ブレース
１５…壁繋ぎ  １６…水平繋ぎ
２０、２０Ａ、２０Ｂ、２０Ｃ…防護シート  ２１…穴  ２２…結束用の紐
３０…スリット（通風開口部）  ３１Ａ、３１Ｂ…端縁
４０…ゴム紐（開放手段、弾性体）  ４０Ａ、４０Ｂ…スリット同士が交差する箇所のゴム紐（開放手段、弾性体）
４１…面ファスナ（開放手段、接着体）  ４２…落下防止部材  ５０…長尺シート
６０…スリット（通風開口部）  ６１Ａ、６１Ｂ…端縁
７０Ａ、７０Ｂ、７０Ｃ、７０Ｄ…端縁、  ８０Ａ、８０Ｂ…ゴム紐（開放手段、弾性体）
９０…面ファスナ、９１…基端部、９２…先端部
【図１】
2017002552.tif 000003
【図２】
2017002552.tif 000004
【図３】
2017002552.tif 000005
【図４】
2017002552.tif 000006
【図５】
2017002552.tif 000007
【図６】
2017002552.tif 000008
【図７】
2017002552.tif 000009
【図８】
2017002552.tif 000010
【図９】
2017002552.tif 000011
【図１０】
2017002552.tif 000012
【図１１】
2017002552.tif 000013
【図１２】
2017002552.tif 000014